(57)【要約】【課題】複数の使用形態に対応可能なイヤホン装置およびイヤホン装置付電子機器を提供する。【解決手段】イヤホン装置付電子機器１０は、イヤホン装置１１と、イヤホン装置１１を接続する電子機器本体１２とを備える。イヤホン装置１１は、胸部１６から頸部１７まで延在可能な長さを有する第１ケーブル１８と、第１ケーブル１８の終端部１８Ａに設けられた分岐部２０から分岐するとともに、それぞれ使用者１５の両耳２１まで個別に延在可能な第３ケーブル２２および第４ケーブル２３と、第３ケーブル２２の終端部２２Ａおよび第４ケーブル２３の終端部２３Ａにそれぞれ設けられた一対のレシーバ部２５，２６と、分岐部２０に対して着脱可能に連結されているとともに、第１ケーブル１８と同等長さを有する第２ケーブルであるダミーケーブル２８とを備える。【選択図】図１
2007281697.tif 000002
【特許請求の範囲】
【請求項１】
分岐部と、
前記分岐部から延出し、電子機器本体に対して接続可能な第１ケーブルおよび第２ケーブルと、
前記分岐部から延出し、先端にレシーバ部を有する一対の第３ケーブルおよび第４ケーブルとを備え、
前記第２ケーブルが前記分岐部から着脱可能に連結されることを特徴とするイヤホン装置。
【請求項２】
前記第１ケーブルと前記第２ケーブルとが同等の長さを有し、前記分岐部および前記電子機器本体に連結されることにより、使用者の首からかけられるよう構成することを特徴とする請求項１に記載のイヤホン装置。
【請求項３】
請求項１および請求項２のうちのいずれかに記載したイヤホン装置を有することを特徴とするイヤホン装置付電子機器。
【請求項４】
前記第１ケーブルの基端部に設けられた接続ピンと、前記第２ケーブルの基端部に設けられた棒状の接続部材とが、同一線に沿うように前記電子機器本体に接続されることを特徴とする請求項３に記載のイヤホン装置付電子機器。
【請求項５】
前記電子機器本体に操作部が設けられていることを特徴とする請求項３に記載のイヤホン装置付電子機器。
【請求項６】
前記電子機器本体に通信部が設けられていることを特徴とする請求項３ないし請求項５のうちのいずれかに記載のイヤホン装置付電子機器。
【発明の詳細な説明】
【技術分野】
【０００１】
本発明は、使用者の胸部から頸部まで延在可能な長さを有する第１ケーブル備え、第１ケーブルから分岐して使用者の両耳まで個別に延在可能な第２ケーブルおよび第３ケーブルを備えたイヤホン装置およびイヤホン装置付電子機器に関する。
【背景技術】
【０００２】
ステレオ式のイヤホン装置として、電子機器本体に接続されるプラグから右耳用ケーブルおよび左耳用ケーブルを延ばし、右耳用ケーブルの先端に右耳用レシーバ部を接続し、左耳用ケーブルの先端に左耳用レシーバ部を接続したものが知られている。
【０００３】
このイヤホン装置として、例えばＹ型イヤホン装置が知られている。Ｙ型イヤホン装置は、プラグから延びた一本のケーブルを途中から右耳用ケーブルおよび左耳用ケーブルに分け、それぞれのケーブルを同じ長さにしたものである。
一本のケーブルと、途中から分けた一対のケーブルとでＹ字を形成するのでＹ型イヤホン装置といわれている。
【０００４】
このＹ型イヤホン装置によれば、プラグを接続した携帯用の電子機器本体を例えばシャツの胸ポケットに収納し、右耳用レシーバ部を右耳にセットするとともに、左耳用レシーバ部を左耳にセットして使用する。
【０００５】
一方、近年では、使用者の頸部に掛けて用いるネックストラップ型イヤホン装置が知られている。ネックストラップ型イヤホン装置は、電子機器本体にネックストラップ部をつなぎ、ストラップ部の内部に右耳用ケーブルおよび左耳用ケーブルを埋設し、これらのケーブルに接続ジャックを介して携帯用の電子機器本体や左右の耳用レシーバ部を電気的に接続できるようにしたものである。
【０００６】
ネックストラップ型イヤホン装置によれば、ネックストラップ部を使用者の頸部に掛け、電子機器本体をネックストラップ部でつり下げた状態に保持し、右耳用レシーバ部を右耳にセットするとともに、左耳用レシーバ部を左耳にセットして使用する（特許文献１参照）。
【特許文献１】特開２００２−９９１９号公報
【発明の開示】
【発明が解決しようとする課題】
【０００７】
Ｙ型イヤホン装置やネックストラップ型イヤホン装置は、それぞれ使用形態が別の形式であり、例えばＹ型イヤホン装置をネックストラップ型イヤホン装置と同様の使用形態で用いることはできない。
すなわち、Ｙ型イヤホン装置やネックストラップ型イヤホン装置は、それぞれ１つの使用形態に適用可能なもので、複数の使用形態に対応させるという汎用性を備えていない。
しかし、イヤホン装置の使用者としては、服装（襟やポケットの有無等）やＴＰＯに合わせて使用形態を任意に選択可能であることが望ましい。
【０００８】
本発明は、上述した従来の問題を解決するためになされたものであり、その目的は、複数の使用形態に対応可能なイヤホン装置およびイヤホン装置付電子機器を提供することにある。
【課題を解決するための手段】
【０００９】
本発明のイヤホン装置は、分岐部と、前記分岐部から延出し、電子機器本体に対して接続可能な第１ケーブルおよび第２ケーブルと、前記分岐部から延出し、先端にレシーバ部を有する一対の第３ケーブルおよび第４ケーブルとを備え、前記第２ケーブルが前記分岐部から着脱可能に連結されることを特徴とする。
【００１０】
このようなイヤホン装置においては、第２ケーブルが電子機器本体に対して接続可能であり、かつ、分岐部に対して着脱可能であるため、例えば第２ケーブルを電子機器本体および分岐部に接続しておけば、第１ケーブル、分岐部、第２ケーブルおよび電子機器本体により使用者の頸部に掛けられるネックストラップが完成し、ネックストラップ型イヤホン装置として使用できることになる。
さらに、このイヤホン装置においては、例えば第２ケーブルを電子機器本体および分岐部から取り外しておけば、Ｙ型イヤホン装置として使用できることになる。
すなわち、このようなイヤホン装置においては、電子機器本体および分岐部に対する第２ケーブルの着脱状態を適宜選択することにより、ネックストラップ型イヤホン装置あるいはＹ型イヤホン装置として使用できる汎用性が得られることになり、これにより前述した目的が達成される。
【００１１】
また、本発明のイヤホン装置は、前記第１ケーブルと前記第２ケーブルとが同等の長さを有し、前記分岐部および前記電子機器本体に連結されることにより、使用者の首からかけられるよう構成することを特徴とする。
このようなイヤホン装置においては、第１ケーブルおよび第２ケーブルが同等長さを有しているため、電子機器本体が使用者の前面に吊り下げられるネックストラップ型イヤホン装置として使用するにあたって、分岐部が使用者の頸部に配置され、これにより良好な装着感が得られことになる。
【００１２】
なお、本発明のイヤホン装置は、第２ケーブルがダミーケーブルであってもよい。
このようなイヤホン装置においては、第２ケーブルがダミーケーブルであるため、Ｙ型イヤホン装置として使用するにあたって、第２ケーブルを電子機器本体および分岐部から取り外しても支障が生じないことになる。
【００１３】
一方、本発明のイヤホン装置付電子機器は、前述したイヤホン装置を有することを特徴とする。
【００１４】
そして、本発明のイヤホン装置付電子機器は、前記第１ケーブルの基端部に設けられた接続ピンと、前記第２ケーブルの基端部に設けられた棒状の接続部材とが、同一線に沿うように前記電子機器本体に接続されることを特徴とする。
このような本発明のイヤホン装置付電子機器においては、接続ピンおよび接続部材が同一線に沿って電子機器本体に接続されるため、換言すれば電子機器本体において互いに離れた方向を向く個所に接続ピンおよび接続部材がそれぞれ接続されることになる。
【００１５】
従って、このイヤホン装置付電子機器においては、イヤホン装置をネックストラップ型イヤホン装置として使用するにあたって、接続ピンおよび接続部材が略水平となるように電子機器本体が吊り下げられるため、電子機器本体の自重が作用する垂直方向に対して電子機器本体に対する接続ピンおよび接続部材の脱着方向が交差することになる。
すなわち、このイヤホン装置付電子機器においては、イヤホン装置をネックストラップ型イヤホン装置として使用するにあたって、電子機器本体の自重や振動・衝撃等により電子機器本体から接続ピンおよび接続部材が引き抜かれ難く、安定して電子機器本体を保持できることになる。
【００１６】
さらに、本発明のイヤホン装置付電子機器は、前記電子機器本体に操作部が設けられていることを特徴とする。
電子機器本体に操作部を設けることで、電子機器本体あるいは電子機器本体に無線・有線により接続された他の電子機器の音量調整等が可能になる。特に、電子機器本体として音楽プレイヤ等を採用した場合に音量調整等により使い勝手を向上できる。
【００１７】
また、本発明のイヤホン装置付電子機器は、前記電子機器本体に通信部が設けられていることを特徴とする。
【００１８】
電子機器本体に通信部を設けたので、他の電子機器を操作することが可能になり、電子機器本体を小型化できる。
【発明の効果】
【００１９】
本発明のイヤホン装置およびイヤホン装置付電子機器によれば、第２ケーブルが電子機器本体に対して接続可能であり、かつ、分岐部に対して着脱可能であるため、電子機器本体および分岐部に対する第２ケーブルの着脱状態を適宜選択することにより、ネックストラップ型イヤホン装置あるいはＹ型イヤホン装置として使用できる汎用性が得られるという効果を有する。
【発明を実施するための最良の形態】
【００２０】
図１〜図２に示すように、イヤホン装置付電子機器１０は、イヤホン装置１１と、イヤホン装置１１を接続する箱状の電子機器本体１２とを備える。
【００２１】
イヤホン装置１１は、図４、図６に示す使用者１５の胸部１６から頸部１７まで延在可能な長さを有する第１ケーブル１８と、第１ケーブル１８の終端部１８Ａに設けられた分岐部２０から分岐するとともに、それぞれ使用者１５の両耳２１まで個別に延在可能な第３ケーブル２２および第４ケーブル２３と、第３ケーブル２２の終端部２２Ａおよび第４ケーブル２３の終端部２３Ａにそれぞれ設けられた一対のレシーバ部２５，２６と、分岐部２０に対して着脱可能に連結されているとともに、第１ケーブル１８と同等長さを有する第２ケーブルであるダミーケーブル２８とを備える。
【００２２】
第１ケーブル１８は、基端部１８Ｂに接続ピン３１が設けられ、終端部１８Ａに分岐部２０が設けられている。
接続ピン３１は、電子機器本体１２の一方の側面１２Ａに、この側面１２Ａに対して直交するように接続される。電子機器本体１２の一方の側面１２Ａには、接続ピン３１を収容する接続孔１９が一方の側面１２Ａに対して直交するように形成されている。
【００２３】
また、第１ケーブル１８は、接続ピン３１の近傍に第３ケーブル保持部３３が設けられている。
第３ケーブル保持部３３は、図２（Ａ）に示すように、弾性変形可能な環状部３３Ａにスリット３３Ｂが形成されたもので、環状部３３Ａを弾性変形させながらスリット３３Ｂから左耳レシーバ部２５の基部２５Ａを環状部３３Ａの内部３３Ｃに収納する。これにより、左耳レシーバ部２５を環状部３３Ａで保持することができる。
【００２４】
分岐部２０は、略矩形ブロック状に形成され（図２（Ｂ）も参照）、一方の側面２０Ａの下部に第１ケーブル１８の終端部１８Ａが設けられるとともに、一方の側面２０Ａの上部に第３ケーブル２２の基端部２２Ｂが設けられ、他方の側面２０Ｂの上部に第４ケーブル２３の基端部２３Ｂが設けられている。
第１ケーブル１８の終端部１８Ａは、第３ケーブル２２の基端部２２Ｂおよび第４ケーブル２３の基端部２３Ｂに分岐部２０を介してそれぞれ電気的に接続されている。
【００２５】
この分岐部２０は、他方の側面２０Ｂの下部に、ダミーケーブル取付孔３５が形成されている。ダミーケーブル取付孔３５は、他方の側面２０Ｂに対して直交するように形成され、底部３５Ａ近傍に環状溝３５Ｂが形成されている。
【００２６】
ダミーケーブル２８は、基端部２８Ａに棒状の接続部材３６が設けられるとともに、終端部２８Ｂに棒状の接続部材３７が設けられている。
基端側の接続部材３６は、筒状に形成された差込部３６Ａを備え、差込部３６Ａの先端に環状の隆起部３６Ｂが形成されるとともに軸線方向に延びるスリット３６Ｃが形成されている。
【００２７】
終端側の接続部材３７は、基端側の接続部材３６と同様に形成されている。すなわち、終端側の接続部材３７は、筒状に形成された差込部３７Ａを備え、差込部３７Ａの先端に環状の隆起部３７Ｂが形成されるとともに軸線方向に延びるスリット３７Ｃが形成されている。
【００２８】
終端側の接続部材３７を分岐部２０のダミーケーブル取付孔３５に取り付ける際には、ダミーケーブル取付孔３５に終端側の差込部３７Ａを差し込む。隆起部３７Ｂがダミーケーブル取付孔３５に押圧されて差込部３７Ａが縮径するように弾性変形する。
隆起部３７Ｂが環状溝３５Ｂまで移動して環状溝３５Ｂに係合することにより、ダミーケーブル取付孔３５に差込部３７Ａを差し込んだ状態に保持される。
【００２９】
ダミーケーブル取付孔３５から差込部３７Ａを引き抜く際には、終端側の接続部材３７に所定の引抜力をかけることで、差込部３７Ａが弾性変形して縮径することにより、隆起部３７Ｂが環状溝３５Ｂから外れる。これにより、ダミーケーブル取付孔３５から差込部３７Ａを引き抜くことができる。
ここで、所定の引抜力は、一例として、３ｋｇに設定される。
【００３０】
また、ダミーケーブル２８は、基端側の接続部材３６の近傍に第４ケーブル保持部４１が設けられている。
第４ケーブル保持部４１は、第３ケーブル保持部３３と同様に、弾性変形可能な環状部４１Ａにスリット４１Ｂが形成されたもので、環状部４１Ａを弾性変形させながらスリット４１Ｂから右耳レシーバ部２６の基部２６Ａを環状部４１Ａの内部４１Ｃに収納する。これにより、右耳レシーバ部２６を環状部４１Ａで保持することができる。
【００３１】
イヤホン装置１１は、ダミーケーブル２８を用いることで、ネックストラップ型イヤホン装置として用いることが可能である。
一方、ダミーケーブル２８を分岐部から外すことで、第１ケーブル１８および第２、第３のケーブル２２，２３でＹ字を形成してＹ型イヤホン装置として用いることが可能である。
なお、イヤホン装置１１をＹ型イヤホン装置として用いる例については図５、図６において後述する。
【００３２】
電子機器本体１２は、箱状に形成され、一方の側面１２Ａの上部に接続孔１９が形成されるとともに、他方の側面１２Ｂの上部にダミーケーブル取付孔４４が形成され、接続孔１９およびダミーケーブル取付孔４４が同軸上に配置されている。
接続孔１９は、一方の側面１２Ａに対して直交するように形成され、第１ケーブル１８の接続ピン３１が差し込まれた際に、電気的に接続するように形成された通常の差込孔である。
【００３３】
電子機器本体１２のダミーケーブル取付孔４４は、分岐部２０のダミーケーブル取付孔３５と同様に形成されている。このダミーケーブル取付孔４４は、他方の側面１２Ｂに対して直交するように形成され、底部４４Ａ近傍に環状溝４４Ｂが形成されている。
【００３４】
基端側の接続部材３６を電子機器本体１２のダミーケーブル取付孔４４に取り付ける際には、ダミーケーブル取付孔４４に基端側の差込部３６Ａを差し込む。隆起部３６Ｂがダミーケーブル取付孔４４に押圧されて差込部３６Ａが縮径するように弾性変形する。
隆起部３６Ｂが環状溝４４Ｂまで移動して環状溝４４Ｂに係合することにより、ダミーケーブル取付孔４４に差込部３６Ａを差し込んだ状態に保持される。
【００３５】
ダミーケーブル取付孔４４から差込部３６Ａを引き抜く際には、基端側の接続部材３６に所定の引抜力をかけることで、差込部３６Ａが弾性変形して縮径することにより、隆起部３６Ｂが環状溝４４Ｂから外れる。これにより、ダミーケーブル取付孔４４から差込部３６Ａを引き抜くことができる。
ここで、所定の引抜力は、一例として、３ｋｇに設定される。
【００３６】
加えて、前述したように、ダミーケーブル取付孔３５から差込部３７Ａを引き抜く際の所定の引抜力を、一例として、３ｋｇに設定されている。
よって、イヤホン装置１１をネックストラップ型イヤホン装置の形態で使用した場合、使用者１５の頸部１７に過大な荷重がかかる前に、ダミーケーブル２８を好適に外すことができる。
【００３７】
すなわち、電子機器本体１２は、第１ケーブル１８の基端部１８Ｂに設けられた接続ピン３１と、ダミーケーブル２８の基端部２８Ａに設けられた棒状の接続部材３６とが接続可能に構成され、かつ、接続ピン３１および接続部材３６が、同一線に沿うとともに、電子機器１２における互いに離れた方向を向く一対の側面１２Ａ，１２Ｂにそれぞれ接続されるように構成されている。
【００３８】
このように、接続ピン３１および接続部材３６を、同一線に沿わせるとともに、電子機器本体１２における互いに離れた方向を向く一対の側面１２Ａ，１２Ｂにそれぞれ接続可能とした。
よって、電子機器本体１２を第１ケーブル１８およびダミーケーブル２８で傾けることなく真っ直ぐの状態で保持することができる。
【００３９】
加えて、接続ピン３１および接続部材３６を一対の側面１２Ａ，１２Ｂにそれぞれ接続することで、電子機器本体１２の振動や自重等で、電子機器１２から接続ピン３１や接続部材３６を抜け難くできる。
【００４０】
この電子機器本体１２は、図３に示すように、表面１２Ｃに操作部４６や表示部４７が設けられ、内部に通信部４８が設けられている。
操作部４６は、円盤状に形成されている。円盤状の操作部４６を回転させることで、電子機器本体１２のオン・オフ切り替や、音量調整等が可能である。
電子機器本体１２の音量調整等が可能になることで、特に、電子機器本体１２として音楽プレイヤ等を採用した場合に音量調整により使い勝手の向上が図れる。
【００４１】
表示部４７としてＬＥＤを設置することも可能である。ＬＥＤは、一例として、着信ランプやイコライザ表示に用いられる。
【００４２】
通信部４８の通信形態は有線・無線を問わない。
なお、無線の場合は、例えばブルートゥース（Bluetooth）等により、電子機器本体１２を本体（携帯電話や音楽プレイヤ）と接続して音声データの送受信や電話による会話が可能になる。
電子機器本体１２に通信部４８を設けたので、電子機器本体１２から他の電子機器を離して別体とすることが可能になり、電子機器本体１２を小型化できる。
さらに、電子機器本体１２にマイク内蔵を設置することも可能である。
【００４３】
さらに、電子機器本体１２は、係止クリップ部５１が着脱自在に備えられている。係止クリップ部５１は、矩形状の枠体５２と、枠体５２に取り付けた弾性クリップ５３とを備える。
枠体５２は、電子機器本体１２に嵌め込み可能に構成され、枠体５２の表側部５２Ａに凹部５２Ｂが形成されるとともに、湾曲突片５２Ｃが上方に向けて突出されている。
【００４４】
凹部５２Ｂは操作部４６の上端部４６Ａを隠さないようにするための凹みである。
湾曲突片５２Ｃは、電子機器本体１２の湾曲隆起部１２Ｄに係止することで枠体５２を電子機器１２に嵌め込まれた状態に保持するための突片である。
湾曲突片５２Ｃは弾性変形可能な突片であり、湾曲突片５２Ｃを弾性変形させることで、電子機器本体１２から枠体５２を着脱可能とする。
【００４５】
弾性クリップ５３は、一例として、一本の弾性ワイヤーを折り曲げたものが用いられている。具体的には、弾性クリップ５３は、上端部５３Ａが湾曲状に曲げられるとともに、下端部５３Ｂがく字状に曲げられ、上端部５３Ａの先端が枠体５２の裏側部５２Ｄに取り付けられている。
【００４６】
この係止クリップ部５１を電子機器本体１２に嵌め込んだ状態において、弾性クリップ５３の湾曲状の上端部５３Ａが電子機器本体１２の裏面１２Ｅから離れた状態に保たれ、く字状に折り曲げた突出部５３Ｃが電子機器本体１２の裏面１２Ｅ（図５も参照）に当接し、下端部５３Ｂのうち、突出部５３Ｃの下側の部位５３Ｄが電子機器本体１２の裏面１２Ｅから離れた状態に保たれる。
【００４７】
よって、下端部５３Ｂのうち、突出部５３Ｃの下側の部位５３Ｄと、電子機器本体１２の裏面１２Ｅとの間に衣類のポケットや前合わせ５５（図６参照）を差し込み、弾性クリップ５３を弾性変形させながら、く字状に折り曲げた突出部５３Ｃと電子機器本体１２の裏面１２Ｅとで衣類のポケットや前合わせ５５を挟持することで、電子機器本体１２を衣類のポケットや前合わせ５５に留めることができる。
【００４８】
つぎに、イヤホン装置１１をネックストラップ型イヤホン装置として使用する例を図１、図４に基づいて説明する。
図１に示すように、分岐部２０にダミーケーブル２８の接続部材３７を取り付けた状態で、分岐部２０を使用者１５の頸部１７の後側に配置する。図４に示すように、ダミーケーブル２８を頸部１７の右側から胸部１６まで回す。第１ケーブル１８を頸部１７の左側から胸部１６まで回す。
【００４９】
図１に示すように、第１ケーブル１８の接続ピン３１を接続孔１９に差し込むとともに、ダミーケーブル２８の接続部材３６をダミーケーブル取付孔４４に差し込む。
これにより、図４に示すように、ダミーケーブル２８および第１ケーブル１８で電子機器本体１２が頸部１７に吊される。
【００５０】
一対のレシーバ部２５，２６のうち、右耳用レシーバ部２６を右耳２１に取り付け、左耳用レシーバ部２５を左耳２１に取り付ける。
これにより、イヤホン装置１１をネックストラップ型イヤホン装置として用いることができる。
【００５１】
つぎに、イヤホン装置１１をＹ型イヤホン装置として使用する例を図１、図５および図６に基づいて説明する。
図１に示すダミーケーブル２８の接続部材３７を分岐部２０から外すとともに、ダミーケーブル２８の接続部材３６を電子機器本体１２から外す。
図５に示すように、第１ケーブル１８の接続ピン３１を接続孔１９に差し込むことにより、第１ケーブル１８に電子機器本体１２を連結する。
【００５２】
図６に示すように、衣類のポケットや前合わせ５５に係止クリップ部５１の弾性クリップ５３で電子機器本体１２を留めることができる。
この状態において、分岐部２０を使用者１５の頸部１７の後側に配置する。この際、図６に示すように、第１ケーブル１８は頸部１７の左側から後側に回される。
【００５３】
一対のレシーバ部２５，２６のうち、右耳用レシーバ部２６を右耳２１に取り付け、左耳用レシーバ部２５を左耳２１に取り付ける。
これにより、イヤホン装置１１をＹ型イヤホン装置として用いることができる。
【００５４】
以上説明したように、本発明のイヤホン装置付電子機器１０によれば、ダミーケーブル２８を分岐部２０に対して着脱可能とし、このダミーケーブル２８を第１ケーブル１８と同等長さにすることで、使用形態に合わせてネックストラップ型イヤホン装置として用いることや、Ｙ型イヤホン装置として用いることができ、複数の使用形態に対応させることができる。
【００５５】
（変形例）
前記実施形態では、ダミーケーブル２８の接続部材３６，３７を雄型接続部材とし、分岐部２０や電子機器本体１２のダミーケーブル取付孔３５，４４を雌型に形成した例について説明したが、図７に示すように、ダミーケーブル２８の接続部材６０を雌型接続部材とし、分岐部２０や電子機器本体１２のダミーケーブル取付部６１を雄型に形成することも可能である。
【００５６】
具体的には、ダミーケーブル２８の接続部材６０は、筒部６２内に取付孔６３が形成され、取付孔６３の底部６３Ａ近傍に環状溝６３Ｂが形成されている。
ダミーケーブル取付部６１は、電子機器本体１２の他方の側面１２Ｂに差込孔６５が形成され、差込孔６５内に同軸上に接続部材６６を備える。接続部材６６は、筒状に形成された差込部６６Ａを備え、差込部６６Ａの先端に環状の隆起部６６Ｂが形成されるとともに軸線方向に延びるスリット６６Ｃが形成されている。
【００５７】
変形例の接続部材６０およびダミーケーブル取付部６１によれば、接続部材６０の筒部６２を差込孔６５内に差し込むことで、接続部材６６が取付孔６３内に差し込まれる。接続部材６６の隆起部６６Ｂが取付孔６３の環状溝６３Ｂに係合することにより、取付孔６３に接続部材６６を差し込んだ状態に保持される。
【００５８】
すなわち、変形例によれば、前記実施形態のイヤホン装置付電子機器１０やイヤホン装置１１と同様の効果を得ることができる。
【００５９】
また、前記実施形態で例示した第２ケーブルであるダミーケーブル２８、接続部材３６，３７、操作部４６表示部４７等の形状は、これに限定するものではなく、適宜変更が可能である。
【産業上の利用可能性】
【００６０】
本発明は、使用者の胸部から頸部まで延在可能な長さを有する第１ケーブルと、第１ケーブルから分岐して使用者の両耳まで個別に延在可能な第３ケーブルおよび第４ケーブルとを備えたイヤホン装置およびイヤホン装置付電子機器への適用に好適である。
【図面の簡単な説明】
【００６１】
【図１】本発明に係るイヤホン装置付電子機器のネックストラップ型イヤホン装置としての形態を示す平面図である。
【図２】図２（Ａ）は図１のＡ−Ａ線断面図、図２（Ｂ）は図１のＢ−Ｂ線断面図である。
【図３】本発明に係るイヤホン装置付電子機器の電子機器本体を示す斜視図である。
【図４】本発明に係るイヤホン装置付電子機器をネックストラップ型イヤホン装置としての使用例を説明する図である。
【図５】本発明に係るイヤホン装置付電子機器のＹ型イヤホン装置としての形態を示す平面図である。
【図６】本発明に係るイヤホン装置付電子機器をＹ型イヤホン装置としての使用例を説明する図である。
【図７】本発明に係るイヤホン装置付電子機器の変形例を示す断面図である。
【符号の説明】
【００６２】
１０  イヤホン装置付電子機器
１１  イヤホン装置
１２  電子機器本体
１２Ａ，１２Ｂ  側面
１５  使用者
１６  胸部
１７  頸部
１８  第１ケーブル
１８Ａ  第１ケーブルの終端部
１８Ｂ  第１ケーブルの基端部
２０  分岐部
２１  両耳
２２  第３ケーブル
２２Ａ  第３ケーブルの終端部
２３  第４ケーブル
２３Ａ  第４ケーブルの終端部
２５，２６  一対のレシーバ部
２８  ダミーケーブル（第２ケーブル）
２８Ａ  ダミーケーブルの基端部
３１  接続ピン
３６  棒状の接続部材
４６  操作部
４８  通信部
【図１】
2007281697.tif 000003
【図２】
2007281697.tif 000004
【図３】
2007281697.tif 000005
【図４】
2007281697.tif 000006
【図５】
2007281697.tif 000007
【図６】
2007281697.tif 000008
【図７】
2007281697.tif 000009